(57)【要約】【課題】動画データの伝送に使用可能な周波数帯域が狭い場合でも、品質を低下させることなく動画データを伝送することが可能な動画伝送システムを提供することにある。【解決手段】動画伝送システムは、伝送する動画データに対して分割処理と圧縮処理を実行する。分割処理は、動画データに含まれる複数のフレームデータそれぞれをフレームデータによるフレームＦの所定領域Ａの画像を表す複数の分割フレームデータに分割する処理である。圧縮処理は、分割処理で得られた複数の分割フレームデータに対して、分割フレームデータを単独で伸長可能な基準ピクチャに圧縮する第１の処理、または分割フレームデータを他の画像データとの差分よりなる差分ピクチャに圧縮する第２の処理のいずれか一方を、同一のフレームデータより分割された複数の分割フレームデータの少なくとも１つに第２の処理を行うという条件下で実行する処理である。【選択図】図１
2010081140.tif 000002
【特許請求の範囲】
【請求項１】
動画データを送信する送信装置と、送信装置が送信した動画データを受信する受信装置とを備え、
送信装置は、動画データを得るための入力部と、入力部で得られた動画データに含まれる時系列順の複数のフレームデータそれぞれを圧縮することで動画データの圧縮を行う圧縮部と、圧縮部で圧縮されたフレームデータを時系列順に受信装置に送信することで圧縮部で圧縮された動画データの送信を行う送信部とを有し、
受信装置は、圧縮部で圧縮された動画データを送信部より受信する受信部と、圧縮部で圧縮された動画データを伸長する伸長部と、動画データを表示する表示部とを有し、
圧縮部は、上記複数のフレームデータそれぞれをフレームデータにより表されるフレームの所定領域の画像を表す複数の分割フレームデータに分割する分割処理と、分割処理で得られた複数の分割フレームデータそれぞれを圧縮する圧縮処理とを実行し、
圧縮処理は、分割フレームデータを他のフレームデータにおける同じ所定領域の画像を表す分割フレームデータとの依存関係がなく単独で伸長可能な基準ピクチャに圧縮する第１の処理、または分割フレームデータを他のフレームデータにおける同じ所定領域の画像を表す分割フレームデータとの差分よりなる差分ピクチャに圧縮する第２の処理のいずれか一方を、同一のフレームデータより分割された複数の分割フレームデータの少なくとも１つに第２の処理を行う形で行う処理であることを特徴とする動画伝送システム。
【請求項２】
上記分割処理は、上記所定領域に、動画を見る人間が着目し易い特定の所定領域が含まれる形でフレームデータを分割する処理であり、
上記圧縮処理において、特定の所定領域は、他の所定領域に比べて上記第１の処理を実行する比率が高く設定されていることを特徴とする請求項１記載の動画伝送システム。
【請求項３】
上記分割処理は、上記所定領域に、動画を見る人間が着目し易い特定の所定領域が含まれる形でフレームデータを分割する処理であり、
上記圧縮処理において、特定の所定領域は、他の所定領域に比べて圧縮のデータレートが高く設定されていることを特徴とする請求項１記載の動画伝送システム。
【請求項４】
上記圧縮処理において、
上記複数のフレームデータにおける同じ所定領域については、上記第１の処理を所定回数の上記第２の処理を間に挟む形で実行し、
上記所定回数は、いずれの上記所定領域においても等しく、
同一のフレームデータより分割された複数の分割フレームデータのうち上記第１の処理が実行される分割フレームデータの数と上記第２の処理が実行される分割フレームデータの数との比は、いずれのフレームデータにおいても等しいことを特徴とする請求項１記載の動画伝送システム。
【請求項５】
上記圧縮処理において、
上記複数のフレームデータにおける同じ所定領域については、上記第１の処理を所定回数の上記第２の処理を間に挟む形で実行し、
上記所定回数は、いずれの上記所定領域においても等しく、同一のフレームデータより分割された分割フレームデータの数より大きいことを特徴とする請求項１記載の動画伝送システム。
【請求項６】
上記分割処理は、フレームデータを構成する走査線を基本単位として、当該フレームデータを、複数の分割フレームデータに分割する処理であることを特徴とする請求項１〜５のうちいずれか１項記載の動画伝送システム。
【請求項７】
上記圧縮部は、上記複数のフレームデータのうち時系列の最初のフレームデータについては、複数の分割フレームデータの全てに対して上記第１の処理を実行し、２番目以降のフレームデータについては、上記圧縮処理を実行することを特徴とする請求項１〜６のうちいずれか１項記載の動画伝送システム。
【請求項８】
上記表示部は、フレームの複数の所定領域の全てに対して基準ピクチャを得るまでは、上記動画データの表示を行わないことを特徴とする請求項１〜６のうちいずれか１項記載の動画伝送システム。
【請求項９】
上記圧縮部は、上記複数のフレームデータのうち時系列の最初のフレームデータの上記分割フレームデータについて上記第２の処理を実行するにあたっては、予め設定された初期画像データを利用し、
上記伸長部は、上記圧縮部で圧縮された上記最初のフレームデータを伸長するにあたっては、上記初期画像データを利用し、
上記表示部は、上記最初のフレームデータから上記動画データの表示を行うことを特徴とする請求項１〜６のうちいずれか１項記載の動画伝送システム。
【発明の詳細な説明】
【技術分野】
【０００１】
本発明は、動画伝送システム、特にリアルタイムで動画を伝送する動画伝送システムに関するものである。
【背景技術】
【０００２】
近年、防犯意識の向上により、訪問者（外来者）の顔を確認できる機能や不在時の訪問者の顔を録画できる機能などの利便性が評価され、インターホンシステム（住宅用インターホンシステム、ドアホンシステム）が普及してきている。このようなインターホンシステムとしては、人体を検出して報知することで住宅周辺の警戒を行い、住宅への侵入を未然に防止するための撮像装置を組み込んだものが提案されている。
【０００３】
このようなインターホンシステムは、セキュリティインターホンシステムとも呼ばれており、撮像部を有する撮像装置（カメラ装置）と、画像表示部を有する表示装置（モニタ装置）とを備えている。撮像装置は、撮像部で撮像された撮像画像を画像処理することにより撮像部の撮像範囲内に人が存在するか否かを判定する画像処理型の人体検出手段を備えている。当該人体検出手段で人を検出した場合、撮像装置は、撮像部で撮像された動画データを表示装置に伝送する。一方、表示装置は、撮像装置から伝送された動画データに基づいて映像を表示する。これによって、使用者の目で本当に侵入者がいたのか否かの確認作業を行うことができる。
【０００４】
ところで、動画データは、一般に大容量であるから、伝送時の負荷が大きい（伝送負荷が大きい）。そのため、動画データを伝送するにあたっては、動画データを可逆圧縮してデータサイズを小さくすることが一般的に行われている。
【０００５】
ここで、上述したようなインターホンシステムでは、リアルタイムで動画を伝送する必要がある。そのため、動画データの圧縮方法としては、例えば、動画データに含まれる複数のフレームデータそれぞれを、他のフレームデータとの依存関係がなく単独で伸長可能な形に圧縮する方法が提案されている（図９（ａ），（ｂ）参照）。なお、図９（ａ）中のＦは、フレームデータによるフレーム（静止画像）を示している。なお、以下の説明では、複数のフレームＦを区別するために必要に応じて符号Ｆ１〜Ｆ８で表す。
【０００６】
しかしながら、上述したような単独で伸長可能に圧縮する方法では、圧縮前に比べて圧縮後のフレームデータのデータサイズをあまり小さくすることができない。そのため、十分に伝送負荷を低減することが難しかった。
【０００７】
そこで、フレームデータのデータサイズを小さくするために、他のフレームデータとの差分を利用することが提案されている。このようなものとしては、Ｉピクチャ（フレーム内符号化画像）と、Ｐピクチャ（順方向予測符号化画像）を利用したものがある。ここで、Ｉピクチャは、フレームデータを、他のフレームデータとの依存関係がなく単独で伸長可能な形に圧縮したものである。Ｐピクチャは、フレームデータを、時系列の前のフレームとの差分により表される形に圧縮したものである。
【０００８】
上述したような圧縮方法と同様の圧縮方法は、ＭＰＥＧ−２などで採用されている。Ｐピクチャは、Ｉピクチャとは異なり単独で伸長することはできないが、Ｉピクチャに比べて、データサイズを大幅に小さくすることができる。そのため、動画データの最初のフレームデータをＩピクチャに圧縮し、後のフレームデータをＰピクチャに圧縮すれば、データサイズを非常に小さくすることができる。
【０００９】
この他、動画データの圧縮方法としては、監視画像等の動画像を、画像内の領域の情報の重要度に合わせて帯域を圧縮して伝送する方法が提案されている（特許文献１参照）。
【特許文献１】特開２０００−３３３１５６号公報
【発明の開示】
【発明が解決しようとする課題】
【００１０】
ところで、Ｐピクチャを伸長するにあたっては、前のフレームデータを参照する必要がある。そのため、パケットロスなどが発生して画像が劣化した場合には、このような劣化の影響が、その後のフレームデータ全てに及んでしまい、表示される動画の品質が悪くなってしまう。
【００１１】
そこで、図１０（ａ）に示すように、フレームデータを定期的にＩピクチャに圧縮して伝送することで、画像の劣化を抑制する方法が採用されている。図１０（ａ）では、Ｉピクチャに圧縮されるフレームＦを「Ｉ」で表し、Ｐピクチャに圧縮されるフレームＦを「Ｐ」で表している。また、フレームＦ１〜Ｆ４，Ｆ５〜Ｆ８それぞれが、ＧＯＰ（Group of Picture）と呼ばれるＩピクチャを１つ以上含むピクチャの固まりを構成している。
【００１２】
このような方法によれば、画像の劣化が後のフレームデータに及んでしまうことを、Ｉピクチャで止めることができる。しかしながら、Ｉピクチャを定期的に送信するので、比較的大きなデータが定期的に伝送されることになる（図１０（ｂ）参照）。
【００１３】
ここで、動画データの伝送に使用可能な周波数帯域が比較的狭い場合、Ｉピクチャを伝送するために長時間かかってしまう。そのため、表示中の動画に遅延が生じるおそれがある。したがって、表示する動画の品質を保障するためには、Ｉピクチャを十分な速度で伝送することができるだけの周波数帯域を確保する必要がある。そして、Ｉピクチャを十分な速度で伝送することができるだけの周波数帯域を確保できるのであれば、動画データの圧縮によるメリットは小さくなってしまう。
【００１４】
また、限られた周波数帯域しか使用できない場合に、遅延なく動画を再生するためには、バッファを利用することが考えられる。しかし、インターホンシステムなどのリアルタイム伝送が要求されるシステムにおいては、許容される伝送遅延時間が２００ｍｓ〜４００ｍｓといわれている。そうすると、バッファに蓄積することができるフレームデータの枚数も、フレームレートが３０ｆｐｓとしても、６〜１２枚程度である。そのため、十分なバッファリングが難しい。
【００１５】
また、特許文献１に示す方法によれば、動画データ全体のデータサイズを小さくすることは可能であるが、圧縮方式としては、ＩピクチャとＰピクチャを利用するＭＰＥＧを採用している。そのため、上述したようにＩピクチャの伝送に伴う問題は解決できていなかった。
【００１６】
本発明は上述の点に鑑みて為されたもので、その目的は、動画データの伝送に使用可能な周波数帯域が狭い場合でも、品質を低下させることなく動画データを伝送することが可能な動画伝送システムを提供することにある。
【課題を解決するための手段】
【００１７】
上記の課題を解決するために、請求項１の発明では、動画データを送信する送信装置と、送信装置が送信した動画データを受信する受信装置とを備え、送信装置は、動画データを得るための入力部と、入力部で得られた動画データに含まれる時系列順の複数のフレームデータそれぞれを圧縮することで動画データの圧縮を行う圧縮部と、圧縮部で圧縮されたフレームデータを時系列順に受信装置に送信することで圧縮部で圧縮された動画データの送信を行う送信部とを有し、受信装置は、圧縮部で圧縮された動画データを送信部より受信する受信部と、圧縮部で圧縮された動画データを伸長する伸長部と、動画データを表示する表示部とを有し、圧縮部は、上記複数のフレームデータそれぞれをフレームデータにより表されるフレームの所定領域の画像を表す複数の分割フレームデータに分割する分割処理と、分割処理で得られた複数の分割フレームデータそれぞれを圧縮する圧縮処理とを実行し、圧縮処理は、分割フレームデータを他のフレームデータにおける同じ所定領域の画像を表す分割フレームデータとの依存関係がなく単独で伸長可能な基準ピクチャに圧縮する第１の処理、または分割フレームデータを他のフレームデータにおける同じ所定領域の画像を表す分割フレームデータとの差分よりなる差分ピクチャに圧縮する第２の処理のいずれか一方を、同一のフレームデータより分割された複数の分割フレームデータの少なくとも１つに第２の処理を行う形で行う処理であることを特徴とする。
【００１８】
この発明によれば、フレームデータを圧縮するにあたっては、フレームデータを複数の分割フレームデータに分割するとともに、同一のフレームデータより分割された複数の分割フレームデータの少なくとも１つを差分ピクチャに圧縮する。そのため、動画データに含まれる複数のフレームデータの圧縮後のデータサイズを平均化することができ、かつ、フレームデータ全体を基準ピクチャに圧縮した場合よりも小さい値とすることができる。よって、動画データの伝送に使用可能な周波数帯域が狭い場合でも、圧縮のデータレートや、フレームレート、色数を低くせずに済み、品質を低下させることなく動画を伝送することが可能になる。
【００１９】
請求項２の発明では、請求項１の発明において、上記分割処理は、上記所定領域に、動画を見る人間が着目し易い特定の所定領域が含まれる形でフレームデータを分割する処理であり、上記圧縮処理において、特定の所定領域は、他の所定領域に比べて上記第１の処理を実行する比率が高く設定されていることを特徴とする。
【００２０】
この発明によれば、動画を見る人が着目し易い特定の所定領域では、他の所定領域よりも、基準ピクチャが挿入される比率を高くしているので、全体のデータサイズを小さくしながらも、違和感のない動画を表示することができる。
【００２１】
請求項３の発明では、請求項１の発明において、上記分割処理は、上記所定領域に、動画を見る人間が着目し易い特定の所定領域が含まれる形でフレームデータを分割する処理であり、上記圧縮処理において、特定の所定領域は、他の所定領域に比べて圧縮のデータレートが高く設定されていることを特徴とする。
【００２２】
この発明によれば、動画を見る人が着目し易い特定の所定領域では、他の所定領域よりも、圧縮のデータレートを高くしているので、全体のデータサイズを小さくしながらも、違和感のない動画を表示することができる。
【００２３】
請求項４の発明では、請求項１の発明において、上記圧縮処理において、上記複数のフレームデータにおける同じ所定領域については、上記第１の処理を所定回数の上記第２の処理を間に挟む形で実行し、上記所定回数は、いずれの上記所定領域においても等しく、同一のフレームデータより分割された複数の分割フレームデータのうち上記第１の処理が実行される分割フレームデータの数と上記第２の処理が実行される分割フレームデータの数との比は、いずれのフレームデータにおいても等しいことを特徴とする。
【００２４】
この発明によれば、時系列順の複数のフレームデータそれぞれの圧縮後のデータサイズをほぼ同じ大きさに揃えることができる。
【００２５】
請求項５の発明では、請求項１の発明において、上記圧縮処理において、上記複数のフレームデータにおける同じ所定領域については、上記第１の処理を所定回数の上記第２の処理を間に挟む形で実行し、上記所定回数は、いずれの上記所定領域においても等しく、同一のフレームデータより分割された分割フレームデータの数より大きいことを特徴とする。
【００２６】
この発明によれば、所定間隔で、同一のフレームデータより分割された複数の分割フレームデータの全てに対して第２の処理が行われるので、従来よりも平均伝送帯域を狭く（伝送に必要な周波数帯域の平均値を小さく）することができ、余った周波数帯域を動画伝送以外の用途（制御信号や音声信号の伝送など）に使用することができるようになる。
【００２７】
請求項６の発明では、請求項１〜５のうちいずれか１項の発明において、上記分割処理は、フレームデータを構成する走査線を基本単位として、当該フレームデータを、複数の分割フレームデータに分割する処理であることを特徴とする。
【００２８】
この発明によれば、フレームデータが、走査線を構成する画素列の画素値を順番に並べた形のデータ構造を有していることを利用し、走査線を基本単位としてフレームデータの分割を行うので、フレームデータの分割処理を容易に行うことができる。
【００２９】
請求項７の発明では、請求項１〜６のうちいずれか１項の発明において、上記圧縮部は、上記複数のフレームデータのうち時系列の最初のフレームデータについては、複数の分割フレームデータの全てに対して上記第１の処理を実行し、２番目以降のフレームデータについては、上記圧縮処理を実行することを特徴とする。
【００３０】
この発明によれば、１番目のフレームデータが伝送された時点から、動画データの表示が可能になる。
【００３１】
請求項８の発明では、請求項１〜６のうちいずれか１項の発明において、上記表示部は、フレームの複数の所定領域の全てに対して基準ピクチャを得るまでは、上記動画データの表示を行わないことを特徴とする。
【００３２】
この発明によれば、所定領域の画像全てに対して基準ピクチャを得るまでは、動画データの表示を行わないので、基準ピクチャを受信しておらず画像が乱れてしまう所定領域の画像を隠蔽することができる。
【００３３】
請求項９の発明では、請求項１〜６のうちいずれか１項の発明において、上記圧縮部は、上記複数のフレームデータのうち時系列の最初のフレームデータの上記分割フレームデータについて上記第２の処理を実行するにあたっては、予め設定された初期画像データを利用し、上記伸長部は、上記圧縮部で圧縮された上記最初のフレームデータを伸長するにあたっては、上記初期画像データを利用し、上記表示部は、上記最初のフレームデータから上記動画データの表示を行うことを特徴とする。
【００３４】
この発明によれば、初期画像データを利用して差分ピクチャを伸長することができるから、画質の劣化を抑制することができる。また、時系列の最初のフレームデータの全ての分割フレームデータの全てを基準ピクチャに圧縮しなくて済むから、狭い伝送帯域での伝送が可能になる。
【発明の効果】
【００３５】
本発明は、動画データの伝送に使用可能な周波数帯域が狭い場合でも、品質を低下させることなく動画データを伝送することが可能になるという効果を奏する。
【発明を実施するための最良の形態】
【００３６】
（実施形態１）
以下に、本発明の動画伝送システムを、セキュリティインターホンシステム（以下、インターホンシステムと略す）に適用した例に基づいて説明する。
【００３７】
このインターホンシステムは、図２に示すように、住宅の軒先に設置される撮像装置１と、住宅内（屋内）に設置される親機（インターホン親機）よりなる表示装置２と、住宅Ｈ外（屋外）に設置される不図示の子器（インターホン子器）とで構成されている。なお、撮像装置１および上記子器は表示装置２に伝送線により接続されている。また、上記子器は従来周知のものを採用することが可能であるから、上記子器の説明は省略する。
【００３８】
撮像装置１は、入力部１０と、記憶部１１と、圧縮部１２と、送信部１３と、処理部１４とを主構成要素として備えている。
【００３９】
入力部１０は、例えば、所定の撮像領域を撮像する機能を有する撮像部である。このような入力部１０は、ＣＣＤイメージ・センサやＣＭＯＳイメージ・センサなどの固体撮像素子よりなる撮像素子（図示せず）と、当該撮像素子とともにカメラとしての機能を発揮するＤＳＰ（Digital Signal Processor）などの制御装置（図示せず）とを主構成要素として備えている。なお、撮像素子としてＣＭＯＳイメージ・センサを用いる場合、入力部１０として、システム・オン・チップ（ＳｏＣ）技術などを利用して撮像素子と制御装置とを一体に構成したワンチップカメラを用いることもできる。
【００４０】
入力部１０の制御装置は、撮像素子の出力（電荷）を所定のフレームレート（例えば３０ｆｐｓ）で取り込む。そして、制御装置は、取り込んだ撮像素子の出力に基づいて所定の形式（例えばＹＵＶ形式）のデジタル・データ、例えばＲＡＷデータなどの生データ（未現像データ）を作成して出力する。このようにして、制御装置からは、撮像領域の画像を表すデジタル・データが順次出力される。そのため、入力部１０によって、撮像領域の動画（動画像）を表す動画データ（動画生データ）を得ることができる。入力部１０より得られる動画データは、時系列順の複数の生データにより構成されており、以下の説明では、動画データを構成する時系列順の生データ（すなわち動画データの１フレーム当たりのデータ）をフレームデータと呼ぶ。
【００４１】
記憶部１１は、フラッシュメモリやＳＤＲＡＭ、ＳＲＡＭなどの書き換え可能な記憶装置（ストレージ・デバイス）であり、主として入力部１０で得た動画データの記憶（貯蔵）に使用される。
【００４２】
圧縮部１２は、入力部１０で得られた動画データを表示装置２に伝送するために、動画データの圧縮を行う。動画データの圧縮は、動画データを構成する時系列順の複数のフレームデータそれぞれを圧縮することにより行う。圧縮部１２は、例えばマイクロコンピュータ（マイクロコントローラ、略称としてマイコン、広義にはＣＰＵとも称される）であり、メモリに記憶されたプログラムをＣＰＵで実行することにより上記の処理を実行する。なお、圧縮部１２にはマイコンの他に専用のＡＳＩＣ（Application Specific Integrated Circuit）や、ＦＰＧＡ（Field Programmable Gate Array）、ＤＳＰなども利用できる。
【００４３】
上述の圧縮部１２は、動画データを圧縮するにあたっては、分割処理と圧縮処理を実行する。以下、分割処理と圧縮処理について図１（ａ）を参照して詳細に説明する。
【００４４】
分割処理は、圧縮処理の前に行われる処理である。この分割処理では、圧縮部１２は、フレームデータを、当該フレームデータにより表される静止画像であるフレームＦの４つの所定領域Ａそれぞれの画像を表す複数のデータ（以下、分割フレームデータという）に分割する。なお、以下の説明では、複数（図１（ａ）では８枚）のフレームＦを区別するために必要に応じて時系列順にＦ１〜Ｆ８で表し、複数の所定領域Ａを区別するために必要に応じてＡ１〜Ａ４で表す。
【００４５】
本実施形態の場合、図１（ａ）における上下左右をフレームＦの上下左右と規定すれば、所定領域Ａ１はフレームＦの左上の画像領域、所定領域Ａ２はフレームＦの右上の画像領域、所定領域Ａ３はフレームＦの左下の画像領域、所定領域Ａ４はフレームＦの右下の画像領域である。また、所定領域Ａ１〜Ａ４のサイズはいずれも同じである。したがって、上記圧縮処理によってフレームＦは各々４等分される。なお、上記の例では、所定領域Ａの一部が他の所定領域Ａと重複しないように各所定領域Ａを設定しているが、品質を確保するために一部が重複するように各所定領域Ａを設定してもよい。
【００４６】
上述の分割処理は、複数のフレームデータそれぞれについて行われる。つまり、圧縮部１２は、動画データに含まれる時系列順の複数のフレームデータそれぞれを、当該フレームデータにより表されるフレームＦの所定領域Ａの画像を表す複数の分割フレームデータに分割する。
【００４７】
圧縮処理は、分割処理によって１つのフレームデータより分割された複数の分割フレームデータそれぞれを圧縮することによって、フレームデータ全体の圧縮を行う処理である。したがって、圧縮処理で圧縮されたフレームデータ（圧縮フレームデータ）は、複数の圧縮された分割フレームデータ（圧縮分割フレームデータ）の塊である。
【００４８】
この圧縮処理では、圧縮部１２は、第１の処理と第２の処理のいずれか一方の処理を分割フレームデータに対して実行することで、圧縮分割フレームデータを作成する。
【００４９】
第１の処理は、分割フレームデータを、例えばＩピクチャ（フレーム内符号化画像）のような基準ピクチャに可逆圧縮（符号化）する処理である。基準ピクチャは、他のフレームデータ（例えば、圧縮対象の分割フレームデータがフレームＦ２の所定領域Ａ１に対応する場合には、フレームＦ２に対して時系列の前後のフレームＦ１，３の所定領域Ａ１に対応する分割フレームデータ）との依存関係がなく単独で伸長可能な静止画圧縮画像である。基準ピクチャへの圧縮方法は従来周知の方法（例えば、ＪＰＥＧやＩピクチャなどを得るための静止画圧縮方法）を採用することができるから詳細な説明は省略する。
【００５０】
このように第１の処理では、圧縮部１２は、分割フレームデータを他のフレームデータにおける同じ所定領域Ａの画像を表す分割フレームデータとの依存関係がなく単独で伸長可能な基準ピクチャに圧縮する。
【００５１】
第２の処理は、分割フレームデータを、例えばＰピクチャ（順方向予測符号化画像）のような差分ピクチャに可逆圧縮する処理である。差分ピクチャは、分割フレームデータを他のフレームデータにおける同じ所定領域Ａの画像を表す分割フレームデータ（例えば、圧縮対象の分割フレームデータがフレームＦ２の所定領域Ａ１に対応する場合には、時系列においてフレームＦ２よりも前のフレームＦ１の所定領域Ａ１に対応する分割フレームデータ）との差分より得られる動画圧縮画像である。差分ピクチャへの圧縮方法は従来周知の方法（例えば、Ｐピクチャを得るための動画圧縮方法）を採用することができるから詳細な説明は省略する。
【００５２】
このように第２の処理では、圧縮部１２は、分割フレームデータを他のフレームデータにおける同じ所定領域Ａの画像を表す分割フレームデータとの差分より得られる差分ピクチャに圧縮する。
【００５３】
本実施形態における圧縮処理では、第１の処理を周期的、すなわち、第１の処理を所定回数（本実施形態では３回）の第２の処理を間に挟む形で実行する。また、各所定領域Ａにおける第１の処理の周期は等しく、かつ、同一のフレームデータより分割された複数の分割フレームデータの全てに対して第１の処理が実行されることがないようにしている。なお、図１（ａ）では、第１の処理が実行される所定領域Ａを「Ｉ」で表し、第２の処理が実行される所定領域Ａを「Ｐ」で表している。
【００５４】
このように、圧縮処理では、圧縮部１２は、第１の処理または第２の処理のいずれか一方を、同一のフレームデータより分割された複数の分割フレームデータの少なくとも１つに第２の処理を行う形で実行する。したがって、圧縮部１２で圧縮されたフレームデータでは、フレームＦの複数の所定領域Ａの少なくとも１つが差分ピクチャに圧縮されている。
【００５５】
例えば、フレームＦ１では、所定領域Ａ１，Ａ４に対応する分割フレームデータが基準ピクチャに圧縮され、所定領域Ａ２，Ａ３に対応する分割フレームデータが差分ピクチャに圧縮されている。フレームＦ２では、所定領域Ａ２に対応する分割フレームデータが基準ピクチャに圧縮され、所定領域Ａ１，Ａ３，Ａ４に対応する分割フレームデータが差分ピクチャに圧縮されている。フレームＦ３では、所定領域Ａ３に対応する分割フレームデータが基準ピクチャに圧縮され、所定領域Ａ１，Ａ２，Ａ４に対応する分割フレームデータが差分ピクチャに圧縮されている。フレームＦ４では、全ての所定領域Ａに対応する分割フレームデータが差分ピクチャに圧縮されている。
【００５６】
ここで、図１（ｂ）に示すように、一般に、差分ピクチャのデータサイズは基準ピクチャのデータサイズよりも小さくなる。そのため、図１（ｃ）に示すように、フレームＦを表すフレームデータの圧縮後のデータサイズは、フレームＦの全ての所定領域Ａ１〜Ａ４に対応する分割フレームデータが基準ピクチャに圧縮された場合（フレームデータ全体を基準ピクチャに圧縮した場合）に比べて小さくなる。
【００５７】
上述したように圧縮部１２では、同一のフレームデータより分割された複数の分割フレームデータの少なくとも１つが差分ピクチャに圧縮されることになる。そのため、圧縮部１２による圧縮後のフレームデータ（圧縮フレームデータ）のデータサイズは、フレームデータ全体を基準ピクチャに圧縮した場合に比べて小さくなる。
【００５８】
送信部１３は、圧縮部１２で圧縮された動画データ（圧縮動画データ）を表示装置２に送信するための通信装置であり、圧縮部１２で圧縮された動画データを符号化（伝送路符号化）して受信装置２に出力する。このような送信部１３は、圧縮部１２で作成された圧縮フレームデータを時系列順に送信することで圧縮動画データをリアルタイムで伝送する。
【００５９】
処理部１４は、例えば、入力部１０が順次出力する動画データのフレームデータに管理用の識別符号（例えばフレーム番号など）を付して記憶部１１に記憶させる処理（記憶処理）を実行する。また、処理部１４は、所定の時間間隔で、入力部１０のフレームデータによるフレームに対象物（本実施形態では人）が写っているか否か（すなわち、入力部１０の撮像範囲内に人が存在しているか否か）を判定する処理（検出処理）を実行する。このような検出処理は、例えば、入力部１０より得たフレームデータに対して画像処理を行うことで実現可能であり、従来から種々の方法が提供されているから詳細な説明は省略する。処理部１４は、検出処理において対象物を検出すると、対象物の検出時刻を含む所定期間内に入力部１０より得られる動画データを表示装置２に送信する処理（送信処理）を実行する。当該送信処理では、圧縮部１２に動画データの圧縮を開始させるとともに、送信部１３に動画データの送信を開始させる。なお、処理部１４には、例えばマイコンが利用される。
【００６０】
上述したように、撮像装置１は、表示装置２に動画データを送信する機能を有している。
【００６１】
一方、表示装置２は、撮像装置１が送信した動画データを受信して表示する機能を有している。このような表示装置２は、受信部２０と、記憶部２１と、伸長部２２と、表示部２３と、処理部２４とを主構成要素として備えている。
【００６２】
受信部２０は、撮像装置１より送信されてくる動画データを受信するための通信装置であり、送信部１３より送信された圧縮動画データを示す信号を復号化（伝送路復号化）して順次出力する処理を実行する。
【００６３】
記憶部２１は、記憶部１１と同様に、フラッシュメモリやＳＤＲＡＭ、ＳＲＡＭなどの書き換え可能な記憶装置である。
【００６４】
伸長部２２は、受信部２０で受信した圧縮動画データを伸長するためのものである。伸長部２２は、圧縮フレームデータそれぞれを伸長することにより圧縮動画データの伸長を行う。具体的には、伸長部２２は、圧縮分割フレームデータを分割フレームデータに伸長する処理（伸長処理）を実行する。また、伸長部２２は、伸長処理で伸長した圧縮分割フレームデータ、すなわち分割フレームデータを結合してフレームデータを作成する処理（結合処理）を実行する。このように伸長部２２は、伸長処理と結合処理とを行うことで、送信部１３より送信されてくる圧縮フレームデータを伸長する。なお、伸長部２２は、圧縮部１２と同様に、マイコンや、ＡＳＩＣ、ＦＰＧＡ、ＤＳＰなどを主構成要素とすることができる。
【００６５】
表示部２３は、液晶表示装置（ＬＣＤ）やＣＲＴなどの表示装置（図示せず）よりなる。表示部２３は、伸長部２２で伸長された圧縮フレームデータ、すなわちフレームデータによるフレームを時系列順に表示することによって、動画データ（動画データによる動画）を表示する（動画を再生する）。
【００６６】
処理部２４は、例えば、受信部２０で受信した圧縮動画データを記憶部２１に録画する処理（録画処理）を実行する。また、処理部２４は、受信部２０で圧縮動画データを受信すると、当該圧縮動画データを表示部２３に表示させる処理（表示処理）を実行する。この表示処理では、伸長部２２に圧縮動画データの伸長を開始させるとともに、表示部２３に動画データの表示を開始させる。このような処理部２４は、処理部１４と同様にマイコンが利用される。
【００６７】
次に、本実施形態のインターホンシステムの動作について説明する。
【００６８】
撮像装置１は、起動している間は、常時、入力部１０により所定の撮像領域を所定のフレームレートで撮像する。入力部１０で撮像されたフレームデータは、処理部１４によって記憶部１１に順次記憶される（記憶処理）。処理部１４は、入力部１０より得たフレームデータに基づいて上述の検出処理を行う。当該検出処理の結果、対象物が写っていると判定されると、処理部１４は、圧縮部１２に動画データの圧縮を開始させるとともに、送信部１３に動画データの送信を開始させる（送信処理）。これによって、圧縮部１２は、上述した分割処理および圧縮処理を実行し、送信部１３は、圧縮フレームデータを順次出力することで圧縮動画データを表示装置２に送信する。
【００６９】
表示装置２では、受信部２０により圧縮動画データが受信される。そうすると、処理部２４によって圧縮動画データが記憶部２１に録画される（録画処理）。また、処理部２４は、伸長部２２に圧縮動画データの伸長を開始させるとともに、表示部２３に伸長部２２で伸長された圧縮動画データ、すなわち動画データの表示を開始させる（表示処理）。これによって、伸長部２２は、上述した伸長処理および結合処理を実行し、表示部２３は、伸長部２２によって伸長された圧縮フレームデータ、すなわちフレームデータによるフレームを順次表示することによって、動画データによる動画の表示を行う。
【００７０】
以上述べたように、本実施形態のインターホンシステムは、動画データを送信する送信装置となる撮像装置１と、撮像装置１から動画データを受信する受信装置となる表示装置２とを備え、撮像装置１と表示装置２とが動画伝送システムを構築している。
【００７１】
当該動画伝送システムでは、圧縮部１２に特徴があり、圧縮部１２は、フレームデータを圧縮するにあたっては、フレームデータを複数の分割フレームデータに分割するとともに、同一のフレームデータより分割された複数の分割フレームデータの少なくとも１つを差分ピクチャに圧縮する。
【００７２】
したがって、本実施形態のインターホンシステムによれば、動画データに含まれるフレームデータの圧縮後のデータサイズ（圧縮フレームデータのデータサイズ）を平均化することができ、かつ、フレームデータ全体（すなわち同一のフレームデータより分割された複数の分割フレームデータ全て）を基準ピクチャに圧縮した場合よりも小さい値とすることができる。よって、動画データの伝送に使用可能な周波数帯域が狭い場合でも、圧縮のデータレートや、フレームレート、色数を低くせずに済み、品質を低下させることなく動画を伝送することが可能になる。さらに、各所定領域において定期的に基準ピクチャが挿入されるので、パケットロスなどによる画質の劣化を抑制することができる。
【００７３】
上述した本実施形態の動画伝送システムの構成はあくまでも本発明の一実施形態であって、本発明の技術的範囲を上記の例に限定する趣旨ではなく、本発明の趣旨を逸脱しない程度に変更することができる。例えば、上記の例では、差分ピクチャとしてＰピクチャを例示しているが、Ｐピクチャに代えて、あるいはＰピクチャとともに、Ｂピクチャ（双方向予測符号化画像）を用いるようにしてもよい。
【００７４】
また、本実施形態では、撮像装置１の処理部１４が検出処理を実行しており、当該検出処理で対象物が検出された際に、動画データの伝送を開始するようにしている。しかしながら、対象物の有無に関係なく（検出処理を実行せずに）、撮像装置１から動画データが得られた際に動画データの伝送を開始するようにしてもよい。すなわち、動画データの伝送を開始するタイミングは、動画伝送システムの使用目的等に応じて適宜設定することができる。
【００７５】
また、本実施形態では、撮像装置１と表示装置２とが本発明の動画伝送システムを構成している。ここで、インターホンシステムでは、上記子器として、カメラ付のものが使用されることが多いため、このような子器と表示装置２とで本発明の動画伝送システムを構成してもよい。この場合、子器が送信装置、表示装置２が受信装置となる。
【００７６】
また、本実施形態は、本発明の動画伝送システムを、インターホンシステムに適用したものであるが、本発明の動画伝送システムは、監視システムその他のシステムにも適用することができる。すなわち、動画データをリアルタイムで伝送する必要があるものであれば、本発明の動画伝送システムを適用可能である。
【００７７】
（実施形態２）
本実施形態のインターホンシステムは、主として圧縮部１２が実施形態１と異なっている。なお、本実施形態のその他の構成については実施形態１と同様であるから図示および説明を省略する。
【００７８】
本実施形態における圧縮部１２は、実施形態１と同様に分割処理と圧縮処理を実行するが、その処理内容が実施形態１と異なっている。なお、本実施形態における伸長部２２は、本実施形態における圧縮部１２によって圧縮された動画データを伸長可能に構成される。
【００７９】
本実施形態における分割処理では、圧縮部１２は、図３に示すように、フレームデータを、フレームデータによるフレームＦの５つの所定領域Ａそれぞれの画像を表す複数の分割フレームデータに分割する。なお、以下の説明では、複数（図３では７枚）のフレームＦを区別するために必要に応じて時系列順にＦ１〜Ｆ７で表し、複数の所定領域Ａを区別するために必要に応じてＡ１〜Ａ５で表す。
【００８０】
すなわち、実施形態１ではフレームＦを４つの所定領域Ａ１〜Ａ４に分割しているが、本実施形態では、フレームＦを５つの所定領域Ａ１〜Ａ５に分割している。ここで、本実施形態における所定領域Ａ５は、動画を見る人間が着目（注目）し易いフレームＦの中央部分の画像領域である。一方、本実施形態における所定領域Ａ１〜Ａ４は、動画を見る人間が着目し難いフレームＦの端部、すなわち所定領域Ａ５の周囲を４等分する画像領域である。より詳細には、図３における上下左右をフレームＦの上下左右と規定すれば、所定領域Ａ１はフレームＦの左上の画像領域、所定領域Ａ２はフレームＦの右上の画像領域、所定領域Ａ３はフレームＦの左下の画像領域、所定領域Ａ４はフレームＦの右下の画像領域である。また、所定領域Ａ１〜Ａ４のサイズはいずれも同じである。
【００８１】
このように本実施形態における分割処理は、所定領域Ａに、動画を見る人間が着目し易い特定の所定領域（特徴領域）である所定領域Ａ５が含まれる形でフレームデータを分割する処理である。
【００８２】
また、本実施形態における圧縮部１２は、複数のフレームデータのうち時系列の最初のフレームデータについては、複数の分割フレームデータ全てに対して第１の処理を実行し、２番目（２枚目）以降のフレームデータについては、次の圧縮処理を実行する。
【００８３】
本実施形態における圧縮処理では、圧縮部１２は、実施形態１と同様に、分割フレームデータに対して第１の処理と第２の処理のいずれか一方の処理を実行する。しかし、実施形態１では、各所定領域Ａにおける第１の処理の周期を等しくしていたが、本実施形態では、所定領域Ａ５における第１の処理の周期を、残りの所定領域Ａ１〜Ａ４における第１の処理の周期よりも短くしている。すなわち、特徴領域である所定領域Ａ５は、他の所定領域Ａ１〜Ａ４に比べて第１の処理を実行する比率が高く設定されている。例えば、本実施形態では、所定領域Ａ５では４フレーム毎（第２の処理を３回間に挟む形）に第１の処理を実行し、所定領域Ａ１〜Ａ４では５フレーム毎（第２の処理を４回間に挟む形）に第１の処理を実行する。
【００８４】
したがって、フレームＦ１が時系列の最初のフレームデータによるものである場合、本実施形態における圧縮部１２によれば、フレームＦ１〜Ｆ７の所定領域Ａに対応する分割フレームデータは、図３に示すように圧縮される。
【００８５】
すなわち、時系列の最初のフレームＦ１では、全ての所定領域Ａ１〜Ａ５に対応する分割フレームデータは基準ピクチャに圧縮されている。２番目のフレームＦ２では、所定領域Ａ５に対応する分割フレームデータが基準ピクチャに圧縮され、所定領域Ａ１〜Ａ４に対応する分割フレームデータが差分ピクチャに圧縮されている。３番目のフレームＦ３では、所定領域Ａ１に対応する分割フレームデータが基準ピクチャに圧縮され、所定領域Ａ２〜Ａ４，Ａ５に対応する分割フレームデータが差分ピクチャに圧縮されている。４番面のフレームＦ４では、所定領域Ａ３に対応する分割フレームデータが基準ピクチャに圧縮され、所定領域Ａ１，Ａ２，Ａ４，Ａ５に対応する分割フレームデータが差分ピクチャに圧縮されている。５番面のフレームＦ５では、所定領域Ａ４に対応する分割フレームデータが基準ピクチャに圧縮され、所定領域Ａ１〜Ａ３，Ａ５に対応する分割フレームデータが差分ピクチャに圧縮されている。６番目のフレームＦ６では、所定領域Ａ２，Ａ５に対応する分割フレームデータが基準ピクチャに圧縮され、所定領域Ａ１，Ａ３，Ａ４に対応する分割フレームデータが差分ピクチャに圧縮されている。７番目のフレームＦ７では、全ての所定領域Ａ１〜Ａ５に対応する分割フレームデータが差分ピクチャに圧縮されている。なお、図３では、第１の処理が実行される所定領域Ａを「Ｉ」で表し、第２の処理が実行される所定領域Ａを「Ｐ」で表している。
【００８６】
以上述べたように、本実施形態のインターホンシステムでは、分割処理は、所定領域Ａに、動画を見る人間が着目し易い特定の所定領域Ａ５が含まれる形でフレームデータを分割する処理であり、圧縮処理において、特定の所定領域Ａ５は、他の所定領域Ａ１〜Ａ４に比べて第１の処理を実行する比率が高く設定されている。
【００８７】
このように、本実施形態のインターホンシステムによれば、動画を見る人が着目し易い特定の所定領域Ａ５では、他の所定領域Ａ１〜Ａ４よりも、基準ピクチャが挿入される比率を高くしているので、全体のデータサイズを小さくしながらも、違和感のない動画を表示することができる。
【００８８】
ところで、本実施形態のように常時動画を撮影し、対象物を検出したときから動画データを送信する場合、圧縮時には何ら問題は発生しないが、伸長時には、Ｉピクチャを得ていない所定領域Ａについては、差分ピクチャを伸長することができない。そのため、Ｉピクチャを得ていない所定領域Ａでは画像が乱れてしまう。
【００８９】
しかしながら、本実施形態における圧縮部１２は、複数のフレームデータのうち時系列の最初のフレームデータについては、いずれの分割フレームデータについても第１の処理を実行し、２番目以降のフレームデータについては、圧縮処理を実行する。
【００９０】
そのため、１番目のフレームデータの圧縮フレームデータは、他のフレームデータがなくても伸長することができる。また、１番目のフレームデータによって全ての所定領域Ａに対する基準ピクチャが得られるから、２番目以降のフレームデータの圧縮フレームデータも問題なく伸長することができる。よって、１番目のフレームデータが伝送された時点から動画データの表示が可能になる。
【００９１】
ところで、本実施形態では、動画を見る人が着目し易い特定の所定領域（特徴領域）を、フレームＦの中央部分の所定領域５Ａとしている。しかしながら、上記の特徴領域は、上記の例に限定されず、撮像装置１の設置場所や、入力部１０の撮像領域等の種々の要素を考慮して定めることができる。また、フレームＦの画像処理によって、特徴領域を決定するようにしてもよい。例えば、フレームＦにおいて、移動体等の対象物が検出された画像領域や、顔認識技術によって顔が検出された画像領域などを、上記の特徴領域として選択することができる。特に、本実施形態のように撮像装置１より動画データを伝送する場合には、移動体等の対象物が検出されたフレームＦの画像領域を特徴領域とするのが好ましい。また、子器より動画データを伝送する場合には、顔が検出されたフレームＦの画像領域を特徴領域とするのが好ましい。
【００９２】
（実施形態３）
本実施形態のインターホンシステムは、主として圧縮部１２および表示部２３が実施形態２と異なっている。なお、本実施形態のその他の構成については実施形態２と同様であるから図示および説明を省略する。
【００９３】
本実施形態における圧縮部１２では、図４に示すように、実施形態２と同様の分割処理を実行する一方、実施形態２とは異なり、複数のフレームデータのうち時系列の最初のフレームデータから実施形態２と同様の圧縮処理を実行する。
【００９４】
したがって、フレームＦ１が時系列の最初のフレームデータによるものである場合、本実施形態における圧縮部１２によれば、フレームＦ１〜Ｆ６の所定領域Ａに対応する分割フレームデータは、図４に示すように圧縮される。
【００９５】
すなわち、時系列の最初のフレームＦ１では、所定領域Ａ５に対応する分割フレームデータが基準ピクチャに圧縮され、所定領域Ａ１〜Ａ４に対応する分割フレームデータが差分ピクチャに圧縮されている。２番目のフレームＦ２では、所定領域Ａ１に対応する分割フレームデータが基準ピクチャに圧縮され、所定領域Ａ２〜Ａ４，Ａ５に対応する分割フレームデータが差分ピクチャに圧縮されている。３番面のフレームＦ３では、所定領域Ａ３に対応する分割フレームデータが基準ピクチャに圧縮され、所定領域Ａ１，Ａ２，Ａ４，Ａ５に対応する分割フレームデータが差分ピクチャに圧縮されている。４番面のフレームＦ４では、所定領域Ａ４に対応する分割フレームデータが基準ピクチャに圧縮され、所定領域Ａ１〜Ａ３，Ａ５に対応する分割フレームデータが差分ピクチャに圧縮されている。５番目のフレームＦ５では、所定領域Ａ２，Ａ５に対応する分割フレームデータが基準ピクチャに圧縮され、所定領域Ａ１，Ａ３，Ａ４に対応する分割フレームデータが差分ピクチャに圧縮されている。６番目のフレームＦ６では、全ての所定領域Ａ１〜Ａ５に対応する分割フレームデータが差分ピクチャに圧縮されている。なお、図４では、第１の処理が実行される所定領域Ａを「Ｉ」で表し、第２の処理が実行される所定領域Ａを「Ｐ」で表している。
【００９６】
このように本実施形態における圧縮部１２では、実施形態２とは異なり、複数のフレームデータのうち時系列の最初のフレームデータであっても、２番目以降のフレームデータと同列に扱う。
【００９７】
本実施形態における表示部２３は、複数の所定領域Ａ１〜Ａ５の全てに対して基準ピクチャを得る（受信する）までは、動画データの表示を行わない。図４に示す例であれば、１番目のフレームデータにより所定領域Ａ５における基準ピクチャが得られ、２番目のフレームデータにより所定領域Ａ１における基準ピクチャが得られ、３番目のフレームデータにより所定領域Ａ３における基準ピクチャが得られ、４番目のフレームデータにより所定領域Ａ４における基準ピクチャが得られ、５番目のフレームデータにより所定領域Ａ２における基準ピクチャが得られる。そのため、表示部２３は、５番目のフレームデータを得てから、動画データによる動画の表示を開始する。これによって、６番目のフレームデータから動画データによる動画が再生される結果となる。
【００９８】
ここで、本実施形態のように常時動画を撮影し、対象物を検出したときから動画データを送信する場合、圧縮時には何ら問題は発生しないが、伸長時には、基準ピクチャを得ていない所定領域Ａについては、差分ピクチャを伸長することができない。そのため、基準ピクチャを得ていない所定領域Ａでは画像が乱れてしまう。
【００９９】
しかしながら、本実施形態のインターホンシステムでは、表示部２３は、所定領域Ａの画像全てに対して基準ピクチャを受信するまでは、動画データの表示を行わない。そのため、本実施形態のインターホンシステムによれば、基準ピクチャを得ていないために差分ピクチャを正確に伸長することができない所定領域Ａの画像が表示されないので、基準ピクチャを受信しておらず画像が乱れてしまう所定領域Ａの画像を隠蔽することができる。また、本実施形態の場合は、実施形態２とは異なり、最初だけであっても圧縮後のフレームデータのデータサイズが大きくなることがないから、圧縮後のフレームデータのデータサイズの最大値を小さくでき、より狭い伝送帯域での伝送が可能になる。
【０１００】
（実施形態４）
本実施形態のインターホンシステムは、主として圧縮部１２および表示部２３が実施形態２と異なっている。なお、本実施形態のその他の構成については実施形態２と同様であるから図示および説明を省略する。
【０１０１】
本実施形態における圧縮部１２では、実施形態２と同様の分割処理を実行する一方、実施形態２とは異なり、複数のフレームデータのうち時系列の最初のフレームデータから実施形態２と同様の圧縮処理を実行する。
【０１０２】
ただし、複数のフレームデータのうち時系列の最初のフレームデータの分割フレームデータについて第２の処理を実行するにあたっては、予め設定された初期画像データを利用する。すなわち、時系列の最初のフレームデータの分割フレームデータについては、当該分割フレームデータを上記初期画像データにおける同じ所定領域Ａの画像を表す分割フレームデータとの差分が用いられる。ここで、上記初期画像データとしては、例えば、対象物が撮像範囲に存在しないときに入力部１０より得られるフレームデータ、すなわち背景の画像データを採用することができる。なお、初期画像データは、上述した背景の画像データに限定されるものではなく、差分ピクチャの圧縮を精度よく行うことができるような画像データであればよい。
【０１０３】
このように本実施形態における圧縮部１２では、初期画像データを利用して第２の処理を実行する。そのため、本実施形態における伸長部２２で最初のフレームデータに対応する圧縮フレームデータの伸長を行う際にも上記初期画像データが利用される。なお、初期画像データは、撮像装置１の記憶部１１と表示装置２の記憶部１２の双方に記憶されており、撮像装置１から表示装置２に初期画像データを送ることはない。
【０１０４】
また、本実施形態における表示部２３は、最初のフレームデータから動画データの表示を行うように構成されている。
【０１０５】
以上述べたように本実施形態のインターホンシステムでは、圧縮部１２は、複数のフレームデータのうち時系列の最初のフレームデータの分割フレームデータについて第２の処理を実行するにあたっては、予め設定された初期画像データを利用し、表示部２３は、最初のフレームデータから動画データの表示を行う。
【０１０６】
そのため、本実施形態のインターホンシステムによれば、初期画像データを利用して差分ピクチャを伸長することができるから、画質の劣化を抑制することができる。また、時系列の最初のフレームから動画の再生を行うことができる。しかも、時系列の最初のフレームデータの全ての分割フレームデータの全てを基準ピクチャに圧縮しなくて済むから、狭い伝送帯域での伝送が可能になる。
【０１０７】
（実施形態５）
本実施形態のインターホンシステムは、主として圧縮部１２が実施形態１と異なっている。なお、本実施形態のその他の構成については実施形態１と同様であるから図示および説明を省略する。
【０１０８】
本実施形態における圧縮部１２は、実施形態１と同様に分割処理と圧縮処理を実行するが、その処理内容が実施形態１と異なっている。なお、本実施形態における伸長部２２は、本実施形態における圧縮部１２によって圧縮された動画データを伸長可能に構成される。
【０１０９】
本実施形態における分割処理では、圧縮部１２は、実施形態２の圧縮処理と同様の処理を行う。すなわち、本実施形態における分割処理は、所定領域Ａに、動画を見る人間が着目し易い特定の所定領域が含まれる形でフレームデータを分割する処理である。
【０１１０】
また、本実施形態における圧縮処理では、圧縮部１２は、実施形態１と同様に、分割フレームデータに対して第１の処理と第２の処理のいずれか一方の処理を実行する。ここで、本実施形態では、特定の所定領域における圧縮のデータレートを、他の所定領域に比べて高くしている。すなわち、フレームにおいて人が着目し易い特定の所定領域においては、画質を上げ、その他の所定領域については画質を下げるようにしているのである。
【０１１１】
以上述べたように本実施形態のインターホンシステムでは、分割処理は、所定領域に、動画を見る人間が着目し易い特定の所定領域が含まれる形でフレームデータを分割する処理であり、圧縮処理において、特定の所定領域は、他の所定領域に比べて圧縮のデータレートが高く設定されている。
【０１１２】
したがって、本実施形態のインターホンシステムによれば、動画を見る人が着目し易い特定の所定領域では、他の所定領域よりも、圧縮のデータレートを高くしているので、全体のデータサイズを小さくしながらも、違和感のない動画を表示することができる。なお、特定の所定領域における圧縮のデータレートとその他の所定領域における圧縮のデータレートとの具体的な値は、動画伝送システムに使用する伝送帯域、フレームデータのデータサイズなどの種々の値を考慮して定められる。
【０１１３】
（実施形態６）
本実施形態の動画伝送システムは、主として圧縮部１２および伸長部２２で実行される処理が実施形態１と異なっている。なお、本実施形態のその他の構成については実施形態１と同様であるから図示および説明を省略する。
【０１１４】
本実施形態における圧縮部１２は、実施形態１と同様に分割処理と圧縮処理を実行するが、その処理内容が実施形態１と異なっている。なお、本実施形態における伸長部２２は、本実施形態における圧縮部１２によって圧縮された動画データを伸長可能に構成される。
【０１１５】
本実施形態における分割処理では、圧縮部１２は、実施形態２の圧縮処理と同様の処理を行う。すなわち、本実施形態における分割処理は、所定領域Ａに、動画を見る人間が着目し易い特定の所定領域が含まれる形でフレームデータを分割する処理である。
【０１１６】
また、本実施形態における圧縮処理では、圧縮部１２は、実施形態１と同様に、分割フレームデータに対して第１の処理と第２の処理のいずれか一方の処理を実行する。
【０１１７】
本実施形態における圧縮処理では、第１の処理を周期的、すなわち、第１の処理を所定回数（本実施形態では４回）の第２の処理を間に挟む形で実行する。また、各所定領域Ａ１〜Ａ５における第１の処理の周期（換言すれば、上記所定回数）は等しく、かつ、同一のフレームデータより分割された複数の分割フレームデータの全てに対して第１の処理が実行されることがないようにしている。
【０１１８】
これに加えて、本実施形態における圧縮処理では、図５に示すように、同一のフレームデータより分割された複数の分割フレームデータのうち第１の処理が実行される分割フレームデータの数と第２の処理が実行される分割フレームデータの数との比は、いずれのフレームデータにおいても等しくしている。本実施形態では、フレームデータを５つの分割フレームデータに分割しており、５つの分割フレームデータのうちの第１の処理が実行される分割フレームデータの数は１としている。すなわち、第１の処理が実行される分割フレームデータの数と第２の処理が実行される分割フレームデータの数との比は、１：４である。
【０１１９】
図５では、フレームＦ１，Ｆ６では所定領域Ａ５に対応する分割フレームデータが基準ピクチャに圧縮され、フレームＦ２では所定領域Ａ１に対応する分割フレームデータが基準ピクチャに圧縮され、フレームＦ３では所定領域Ａ３に対応する分割フレームデータが基準ピクチャに圧縮され、フレームＦ４では所定領域Ａ４に対応する分割フレームデータが基準ピクチャに圧縮され、フレームＦ５では所定領域Ａ２に対応する分割フレームデータが基準ピクチャに圧縮されている。なお、図５では、第１の処理が実行される所定領域Ａを「Ｉ」で表し、第２の処理が実行される所定領域Ａを「Ｐ」で表している。
【０１２０】
以上述べたように本実施形態のインターホンシステムでは、圧縮処理において、複数のフレームデータにおける同じ所定領域Ａについては、第１の処理を所定回数の第２の処理を間に挟む形で実行し、所定回数は、いずれの所定領域においても等しい。また、同一のフレームデータより分割された複数の分割フレームデータのうち第１の処理が実行される分割フレームデータの数と第２の処理が実行される分割フレームデータの数との比は、いずれのフレームデータにおいても等しい。
【０１２１】
このような本実施形態のインターホンシステムによれば、時系列順の複数のフレームデータそれぞれの圧縮後のデータサイズをほぼ同じ大きさに揃えることができる。
【０１２２】
（実施形態７）
本実施形態の動画伝送システムは、主として圧縮部１２および伸長部２２で実行される処理が実施形態１と異なっている。なお、本実施形態のその他の構成については実施形態１と同様であるから図示および説明を省略する。
【０１２３】
本実施形態における圧縮部１２は、実施形態１と同様に分割処理と圧縮処理を実行するが、その処理内容が実施形態１と異なっている。なお、本実施形態における伸長部２２は、本実施形態における圧縮部１２によって圧縮された動画データを伸長可能に構成される。
【０１２４】
本実施形態における分割処理では、圧縮部１２は、実施形態２の圧縮処理と同様の処理を行う。すなわち、本実施形態における分割処理は、所定領域Ａに、動画を見る人間が着目し易い特定の所定領域が含まれる形でフレームデータを分割する処理である。
【０１２５】
また、本実施形態における圧縮処理では、圧縮部１２は、実施形態１と同様に、分割フレームデータに対して第１の処理と第２の処理のいずれか一方の処理を実行する。
【０１２６】
本実施形態における圧縮処理では、図６に示すように、第１の処理を周期的、すなわち、第１の処理を所定回数（本実施形態では４回）の第２の処理を間に挟む形で実行する。また、各所定領域Ａ１〜Ａ５における第１の処理の周期（換言すれば、上記所定回数）は等しく、かつ、同一のフレームデータより分割された複数の分割フレームデータの全てに対して第１の処理が実行されることがないようにしている。
【０１２７】
これに加えて、本実施形態における圧縮処理では、図６に示すように、上記所定回数は、６回であり、同一のフレームデータより分割された分割フレームデータの数である５より大きくしている。さらに、同一のフレームデータより分割された複数の分割フレームデータのうち第１の処理が行われる回数が１回を越えないように、各所定領域Ａにおける第１の処理の周期をずらしている。そのため、所定間隔で（６枚毎に）分割フレームデータの全てが差分ピクチャに圧縮されたフレームデータが表れることになる。
【０１２８】
なお、図６において、フレームＦ１，Ｆ７では所定領域Ａ５に対応する分割フレームデータのみが基準ピクチャに圧縮され、フレームＦ２では所定領域Ａ１に対応する分割フレームデータのみが基準ピクチャに圧縮され、フレームＦ３では所定領域Ａ３に対応する分割フレームデータのみが基準ピクチャに圧縮され、フレームＦ４では所定領域Ａ４に対応する分割フレームデータのみが基準ピクチャに圧縮され、フレームＦ５では所定領域Ａ２に対応する分割フレームデータのみが基準ピクチャに圧縮されている。そして、フレームＦ６では全ての分割フレームデータが差分ピクチャに圧縮されている。なお、図６では、第１の処理が実行される所定領域Ａを「Ｉ」で表し、第２の処理が実行される所定領域Ａを「Ｐ」で表している。
【０１２９】
以上述べたように本実施形態のインターホンシステムでは、圧縮処理において、複数のフレームデータにおける同じ所定領域については、第１の処理を所定回数の第２の処理を間に挟む形で実行する。このとき、当該所定回数は、いずれの所定領域においても等しく、同一のフレームデータより分割された分割フレームデータの数より大きく設定されている。
【０１３０】
したがって、本実施形態のインターホンシステムによれば、フレームデータの中に、同一のフレームデータより分割された複数の分割フレームデータの全てに対して第２の処理が行われるものが存在するようになる。このように複数の分割フレームデータの全てに対して第２の処理が行われるフレームデータは、少なくとも１つの分割フレームデータに対して第１の処理が行われるフレームデータよりもデータサイズが小さい。そのため、複数の分割フレームデータの全てに対して第２の処理が行われるフレームデータを伝送するときには、少なくとも１つの分割フレームデータに対して第１の処理が行われるフレームデータよりも伝送帯域を狭くすることができる。したがって、複数の分割フレームデータの全てに対して第２の処理が行われるフレームデータの伝送時には、余った周波数帯域を動画伝送以外の用途（制御信号や音声信号の伝送など）に使用することができるようになる。
【０１３１】
（実施形態８）
本実施形態のインターホンシステムは、主として圧縮部１２が実施形態１と異なっている。なお、本実施形態のその他の構成については実施形態１と同様であるから図示および説明を省略する。
【０１３２】
本実施形態における圧縮部１２は、実施形態１と同様に分割処理と圧縮処理を実行するが、その処理内容が実施形態１と異なっている。なお、本実施形態における伸長部２２は、本実施形態における圧縮部１２によって圧縮された動画データを伸長可能に構成される。
【０１３３】
本実施形態における分割処理では、圧縮部１２は、図７に示すように、フレームデータを、フレームデータによるフレームＦの３つの所定領域Ａそれぞれの画像を表す複数の分割フレームデータに分割する。なお、以下の説明では、複数（図７では４枚）のフレームＦを区別するために必要に応じて時系列順にＦ１〜Ｆ４で表し、複数の所定領域Ａを区別するために必要に応じてＡ１〜Ａ３で表す。
【０１３４】
ところで、一般に、フレームＦは、図８（ａ）に示すように、マトリクス状に並べられた複数の画素Ｐ（ｘ，ｙ）により表される。ここで、ｘは縦方向、ｙは横方向の座標を示し、１≦ｘ≦Ｍ、１≦ｙ≦Ｎ（但し、Ｍ、Ｎは２以上の整数）である。そして、フレームデータは、図８（ｂ）に示すように、走査線を構成する横方向の画素列である画素Ｐ（１，１）〜Ｐ（１，Ｎ）、Ｐ（２，１）〜Ｐ（２，Ｎ）、・・・Ｐ（Ｍ，１）〜Ｐ（Ｍ，Ｎ）の各画素値を順番に並べた形のデータ構造となっている。そして、どの画素が同一の走査線に属しているか否かは水平同期信号によって知ることができる。
【０１３５】
そのため、フレームＦにおける所定領域Ａに含まれる画素Ｐ（１，１）〜Ｐ（１，Ｎ）、Ｐ（２，１）〜Ｐ（２，Ｎ）は、フレームデータにおいては図８（ｂ）に示すように順番に並んでいる。
【０１３６】
そこで、本実施形態における圧縮部１２は、フレームデータを分割するにあたっては、フレームデータの走査線を基本単位として、フレームデータの分割を行う。具体的には、本実施形態では、フレームデータを、縦方向の座標ｘが１〜ｍ１である走査線群よりなる分割フレームデータと、縦方向の座標ｘがｍ１＋１〜ｍ２である走査線群よりなる分割フレームデータと、縦方向の座標ｘがｍ２＋１〜Ｍである走査線群よりなる分割フレームデータに分割する（ただし、ｍ１，ｍ２は整数であり、１＜ｍ１＜ｍ２＜Ｍを満たす）。
【０１３７】
これによって、図７に示すように、フレームＦを３つの所定領域Ａ１〜Ａ３に分割している。また、所定領域Ａ１〜Ａ３は、フレームＦを縦方向において３等分する形の画像領域である。
【０１３８】
本実施形態における圧縮処理では、圧縮部１２は、実施形態１と同様に、分割フレームデータに対して第１の処理と第２の処理のいずれか一方の処理を実行する。
【０１３９】
ここで、本実施形態における圧縮処理では、第１の処理を周期的、すなわち、第１の処理を所定回数（本実施形態では２回）の第２の処理を間に挟む形で実行する。また、各所定領域Ａ１〜Ａ３における第１の処理の周期（換言すれば、上記所定回数）は等しく、かつ、同一のフレームデータより分割された複数の分割フレームデータの全てに対して第１の処理が実行されることがないようにしている。
【０１４０】
これに加えて、本実施形態における圧縮処理では、図７に示すように、同一のフレームデータより分割された複数の分割フレームデータのうち第１の処理が実行される分割フレームデータの数と第２の処理が実行される分割フレームデータの数との比は、いずれのフレームデータにおいても等しくしている。本実施形態では、フレームデータを３つの分割フレームデータに分割しており、３つの分割フレームデータのうちの第１の処理が実行される分割フレームデータの数は１としている。すなわち、第１の処理が実行される分割フレームデータの数と第２の処理が実行される分割フレームデータの数との比は、１：２である。
【０１４１】
図７では、フレームＦ１，Ｆ４では所定領域Ａ１に対応する分割フレームデータのみが基準ピクチャに圧縮され、フレームＦ２では所定領域Ａ２に対応する分割フレームデータのみが基準ピクチャに圧縮され、フレームＦ３では所定領域Ａ３に対応する分割フレームデータがのみ基準ピクチャに圧縮されている。なお、図７では、第１の処理が実行される所定領域Ａを「Ｉ」で表し、第２の処理が実行される所定領域Ａを「Ｐ」で表している。
【０１４２】
以上述べたように、本実施形態のインターホンシステムでは、分割処理は、フレームデータを構成する走査線を基本単位として当該フレームデータを複数の分割フレームデータに分割する処理である。本実施形態のインターホンシステムによれば、フレームデータが、走査線を構成する画素列の画素値を順番に並べた形のデータ構造を有していることを利用し、走査線を基本単位としてフレームデータの分割を行うので、実施形態１，２のようにフレームデータを構成する画素データの並び（走査線）を考慮せずに所定領域Ａを設定する場合に比べれば、フレームデータの分割処理を容易に行うことができる。
【０１４３】
また、本実施形態のインターホンシステムでは、圧縮処理において、複数のフレームデータにおける同じ所定領域Ａについては、第１の処理を所定回数の第２の処理を間に挟む形で実行し、所定回数は、いずれの所定領域においても等しい。また、同一のフレームデータより分割された複数の分割フレームデータのうち第１の処理が実行される分割フレームデータの数と第２の処理が実行される分割フレームデータの数との比は、いずれのフレームデータにおいても等しい。そのため、時系列順の複数のフレームデータそれぞれの圧縮後のデータサイズをほぼ同じ大きさに揃えることができる。
【図面の簡単な説明】
【０１４４】
【図１】（ａ）は実施形態１のインターホンシステムの説明図、（ｂ）は同図（ａ）における所定領域の個別のデータサイズを示すグラフ、（ｃ）は同図（ａ）における所定領域の合計のデータサイズを示すグラフである。
【図２】同上のインターホンシステムのブロック図である。
【図３】実施形態２のインターホンシステムの説明図である。
【図４】実施形態３のインターホンシステムの他例の説明図である。
【図５】実施形態６のインターホンシステムの説明図である。
【図６】実施形態７のインターホンシステムの説明図である。
【図７】実施形態８のインターホンシステムの説明図である。
【図８】フレームデータのデータ構造の説明図である。
【図９】（ａ）は従来の圧縮方法の説明図、（ｂ）は圧縮後のデータサイズを示すグラフである。
【図１０】（ａ）は従来の他の圧縮方法の説明図、（ｂ）は圧縮後のデータサイズを示すグラフである。
【符号の説明】
【０１４５】
１    撮像装置（送信装置）
２    表示装置（受信装置）
１０    入力部
１２    圧縮部
１３    送信部
２０    受信部
２２    伸長部
２３    表示部
Ｆ    フレーム
Ａ    所定領域
【図１】
2010081140.tif 000003
【図２】
2010081140.tif 000004
【図３】
2010081140.tif 000005
【図４】
2010081140.tif 000006
【図５】
2010081140.tif 000007
【図６】
2010081140.tif 000008
【図７】
2010081140.tif 000009
【図８】
2010081140.tif 000010
【図９】
2010081140.tif 000011
【図１０】
2010081140.tif 000012